(57)【特許請求の範囲】
【請求項１】
少なくとも第１のアンテナに結合され、前記第１のアンテナから信号を受信するように構成された１次無線周波数集積回路（ＲＦＩＣ）と、
少なくとも２つのアンテナからアナログ信号を受信するように構成された２次ＲＦＩＣと、
を備え、
前記２次ＲＦＩＣが、さらなる処理のために前記１次ＲＦＩＣに入力されるアナログ出力を生成するために、前記少なくとも２つのアンテナのうちの少なくとも１つのアンテナから受信され選択されたアナログ信号を処理するように構成され、
前記２次ＲＦＩＣが、前記１次ＲＦＩＣよりも前記少なくとも１つのアンテナの近くに配置され、前記２次ＲＦＩＣが、それぞれ前記少なくとも２つのアンテナに結合された少なくとも２つのモジュールを備え、前記少なくとも２つのモジュールのうちの少なくとも1つのモジュールが、前記アナログ出力を生成するために少なくとも１つのアナログ信号に対して選択された処理を行う、
装置。
【請求項２】
前記選択された処理が、増幅することと、フィルタ処理することと、ダウンコンバートすることと、アップコンバートすることとのうちの少なくとも１つを備える、請求項１に記載の装置。
【請求項３】
前記選択された処理が、前記１次ＲＦＩＣによって実行される処理に関連するサブプロセスを備える、請求項１に記載の装置。
【請求項４】
各モジュールが、グローバルナビゲーション衛星システム（ＧＮＳＳ）信号と、ワイヤレスワイドエリアネットワーク（ＷＷＡＮ）通信信号と、Ｗｉ−Ｆｉ（登録商標）通信信号と、Ｂｌｕｅｔｏｏｔｈ（登録商標）通信信号とのうちの少なくとも１つを処理するように構成された、請求項１に記載の装置。
【請求項５】
前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、請求項１に記載の装置。
【請求項６】
前記２次ＲＦＩＣが、前記１次ＲＦＩＣの受信機によって実行される処理に関連したサブプロセスを使用して前記第１のアンテナにおいて受信された前記アナログ信号を処理するように構成され、ここにおいて、前記１次ＲＦＩＣが、前記サブプロセスを使用して第２のアンテナにおいて受信されたアナログ信号を処理するように構成される、請求項１に記載の装置。
【請求項７】
第１のアンテナから第１の信号を受信するための手段と、
少なくとも２つのアンテナからアナログ信号を受信するための手段と、
を備え、
アナログ信号を受信するための前記手段が、さらなる処理のために前記第１の信号を受信するための前記手段に入力されるアナログ出力を生成するために、前記少なくとも２つのアンテナのうちの少なくとも１つのアンテナから受信され選択されたアナログ信号を処理するように構成され、
アナログ信号を受信するための前記手段が、第１の信号を受信するための前記少なくとも１つのアンテナ手段のより近くに配置され、アナログ信号を受信するための前記手段が、それぞれ前記少なくとも２つのアンテナに結合された少なくとも２つのモジュールを備え、前記少なくとも２つのモジュールのうちの少なくとも１つのモジュールが、前記アナログ出力を生成するために少なくとも１つのアナログ信号に対して選択された処理を行う、
装置。
【請求項８】
前記選択された処理が、増幅することと、フィルタ処理することと、ダウンコンバートすることと、アップコンバートすることとのうちの少なくとも１つを備える、請求項７に記載の装置。
【請求項９】
前記選択された処理が、前記第１の信号を受信するための前記手段によって実行される処理に関連するサブプロセスを備える、請求項７に記載の装置。
【請求項１０】
各モジュールが、グローバルナビゲーション衛星システム（ＧＮＳＳ）信号と、ワイヤレスワイドエリアネットワーク（ＷＷＡＮ）通信信号と、Ｗｉ−Ｆｉ通信信号と、Ｂｌｕｅｔｏｏｔｈ通信信号とのうちの少なくとも１つを処理するように構成された、請求項７に記載の装置。
【請求項１１】
前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、請求項７に記載の装置。
【発明の詳細な説明】
【技術分野】
【０００１】
[0001]  本出願は、一般にワイヤレスデバイスの動作および設計に関し、より詳細には、ワイヤレスデバイスの性能の改善のための無線周波数集積回路構成要素の構成に関する。
【背景技術】
【０００２】
[0002]  現代のスマートフォンおよび他のポータブルデバイスは、異なる無線周波数帯域中で様々な技術との異なるワイヤレスリンクの使用を拡張してきた。１つの無線周波数集積回路（ＲＦＩＣ：radio frequency integrated circuit）チップ中または１つの小さいモジュール中の複数のトランシーバの高集積化が、消費者市場によってますます必要とされている。しかしながら、チップおよびモジュールが小さくなるにつれて、アンテナ寸法は、それらがその中で動作する周波数帯域により固定のままである。アンテナ共有が一般的であるが、典型的なスマートフォンは、様々な周波数帯域中で信号を受信および送信するために２つ以上のアンテナを含み得る。必然的に、アンテナのうちの少なくとも１つはデバイスのＲＦＩＣから遠くに配置され、この距離は望ましくないトレース損失（trace loss）をもたらす。トレース損失を低減することによって、特定のアンテナまたは周波数帯域に関するデバイスの信号品質および／または全体的性能は改善され得ることが可能である。
【０００３】
[0003]  したがって、必要なものは、マルチアンテナワイヤレスデバイス中のトレース損失を低減するためのＲＦＩＣ構成である。
【０００４】
[0004]  本明細書で説明する上記の態様は、添付の図面とともに以下の説明を参照することによって、より容易に明らかになろう。
【図面の簡単な説明】
【０００５】
【図１】[0005]  複数のＲＦ帯域中で通信するように構成された複数のアンテナを有する従来のデバイスを示す図。
【図２】[0006]  アンテナトレース損失の低減のためのＲＦＩＣ構成の例示的な実施形態を備えるワイヤレスデバイスを示す図。
【図３】[0007]  ２次ＲＦＩＣの例示的な実施形態を示す図。
【図４】[0008]  アンテナトレース損失の低減のためのＲＦＩＣ構成の例示的な実施形態を備えるワイヤレスデバイスを示す図。
【図５】[0009]  アンテナトレース損失の低減のためのＲＦＩＣ構成を備える装置の例示的な実施形態を示す図。
【発明を実施するための形態】
【０００６】
[0010]  添付の図面とともに以下に示す詳細な説明は、本発明の例示的な実施形態を説明するものであり、本発明が実施され得る唯一の実施形態を表すものではない。この説明全体にわたって使用する「例示的」という用語は、「例、事例、または例示の働きをすること」を意味し、必ずしも他の例示的な実施形態よりも好ましいまたは有利であると解釈すべきではない。発明を実施するための形態は、本発明の例示的な実施形態の完全な理解を与える目的で具体的な詳細を含む。本発明の例示的な実施形態はこれらの具体的な詳細なしに実行され得ることが当業者には明らかであろう。いくつかの例では、本明細書で提示する例示的な実施形態の新規性を不明瞭にしないように、よく知られている構造およびデバイスをブロック図の形式で示す。
【０００７】
[0011]  図１に、複数のＲＦ帯域中で通信するように構成された複数のアンテナを有する従来のデバイス１００を示す。たとえば、デバイス１００はスマートフォンまたは他のワイヤレスデバイスを備える。デバイス１００はアンテナ１０２、１０４、１０６、および１０８を含む。各アンテナは、アンテナ上で信号を受信および／または送信するように構成されたＲＦＩＣ１１０に各アンテナを接続する、対応する信号トレース（signal trace）を有する。たとえば、信号トレースは回路基板上でルーティングされるか、またはデバイス１００内に配置された専用接続ワイヤによってルーティングされ得る。
【０００８】
[0012]  アンテナのサイズは、デバイス１００内のそれらのロケーションを必要とし得る。したがって、アンテナのうちの１つまたは複数は、ＲＦＩＣ１１０へのそれらの対応する信号トレースが、かなりのトレース損失を経験するのに十分長くなるようにデバイス１００内に配置されることが可能である。たとえば、アンテナ１０４はＲＦＩＣ１１０の比較的近くに配置され、それの対応する信号トレース１１４は、アンテナ１０８に関連するより長い信号トレース１１２と比較して比較的短い。より長い信号トレースリードは、デバイスの性能を劣化させる許容できないトレース損失をもたらし得る。したがって、様々な例示的な実施形態では、マルチアンテナデバイス中のアンテナトレース損失を低減するためのＲＦＩＣ構成が提供される。
【０００９】
[0013]  図２に、アンテナトレース損失の低減のためのＲＦＩＣ構成の例示的な実施形態を備えるワイヤレスデバイス２００を示す。ワイヤレスデバイス２００は、外部デバイスとともにＲＦ信号を送信および／または受信するためにアンテナ２０６、２１２に結合された１次（primary）ＲＦＩＣ２０２を備える。ワイヤレスデバイス２００はまた、外部デバイスとともにＲＦ信号を送信および／または受信するために信号トレース２１６および２１８を通してアンテナ２０８、２１０に結合された２次（secondary）ＲＦＩＣ２０４を備える。例示的な実施形態では、アンテナ２０８および２１０は、１つまたは複数の通信技術を使用する通信のために構成される。たとえば、アンテナ２０８は、ＧＮＳＳ信号を受信するためのグローバルナビゲーション衛星システム（ＧＮＳＳ：global navigation satellite system）アンテナとして構成され得、アンテナ２１０は、ワイドエリアネットワーク、たとえば、セルラーワイドエリアネットワークと通信するためのワイヤレスワイドエリアネットワーク（ＷＷＡＮ：wireless wide area network）受信機（Ｒｘ）ダイバーシティアンテナとして構成され得る。アンテナ２０８および２１０は、特定の通信技術に限定されず、ＧＮＳＳ、ＷＷＡＮ、ワイヤレスローカルエリアネットワーク（ＷＬＡＮ：wireless local area network）、ＷｉＦｉ（登録商標）（ＩＥＥＥ８０２．１１規格ファミリーを使用する指定製品）、Ｂｌｕｅｔｏｏｔｈ（登録商標）（短い距離にわたってデータを交換するためのワイヤレス技術規格）、または他のワイヤレス技術など、任意のワイヤレス技術とともに使用するために構成され得ることに留意されたい。
【００１０】
[0014]  例示的な実施形態では、２次ＲＦＩＣ２０４は少なくとも２つのアンテナ（すなわち、アンテナ２０８、２１０）からアナログ信号を受信し、１次ＲＦＩＣ２０２に入力される少なくとも１つのアナログ出力信号２１４を生成するために、これらの信号の一方または両方を処理する。アナログ出力信号２１４は、以下でより詳細に説明するように１次ＲＦＩＣ２０２によってさらに処理され得る。
【００１１】
[0015]  例示的な実施形態では、２次ＲＦＩＣ２０４は少なくとも以下の機能を実行する。
【００１２】
１．  少なくとも２つのアンテナから信号を受信する。各アンテナは、選択された通信技術を使用して通信するように構成される。
【００１３】
２．  受信されたアンテナ信号のうちの少なくとも１つの処理（すなわち、増幅、フィルタ処理、ダウンコンバージョンなど）を行う。
【００１４】
３．  １次ＲＦＩＣにアナログ出力信号を与える。
【００１５】
４．  アンテナ信号経路に関連するトレース損失を低減するために、１次ＲＦＩＣよりも、少なくとも２つのアンテナのうちの１つまたは複数の近くに配置される。
【００１６】
[0016]  様々な例示的な実施形態では、新規のＲＦＩＣ構成は、２次ＲＦＩＣに接続された１つまたは複数のアンテナに関連するトレース損失が低減され得るようにワイヤレスデバイス内に配置された２次ＲＦＩＣ２０４を備える。たとえば、アンテナ２０８および２１０を２次ＲＦＩＣ２０４に接続する信号トレース２１６および２１８のうちの少なくとも１つは、これらの信号トレースがアンテナ２０８および２１０を１次ＲＦＩＣ２０２に接続するために拡張された場合よりも短く、少ないトレース損失を経験する。信号トレースが短くなると、トレース損失が低減される。
【００１７】
[0017]  図３に、２次ＲＦＩＣ２０４の例示的な実施形態を示す。２次ＲＦＩＣ２０４は第１のモジュール３０２と第２のモジュール３０４とを備える。第１のモジュール３０２は、アンテナ２０８に／から流れる信号を処理する。第２のモジュール３０４は、アンテナ２１０に／から流れる信号を処理する。アンテナ２０８、２１０は、同じまたは異なる周波数を有する信号を受信するように構成される。第１のモジュール３０２は、通信回線２１４を通して１次ＲＦＩＣ２０２（図示せず）と通信する。第２のモジュール３０４は、通信回線３０６を通してデバイスにおける他の機能要素と通信する。例示的な実施形態では、各モジュールは、グローバルナビゲーション衛星システム（ＧＮＳＳ）信号と、ワイヤレスワイドエリアネットワーク（ＷＷＡＮ）通信信号と、Ｗｉ−Ｆｉ（登録商標）通信信号と、Ｂｌｕｅｔｏｏｔｈ通信信号とのうちの少なくとも１つを処理するように構成される。アンテナ２０８、２１０は、対応する周波数帯域中で動作するように構成される。
【００１８】
[0018]  例示的な実施形態では、第１のモジュール３０２は、アンテナ２０８からアナログＲＦ信号を受信し、アナログ出力２１４を生成するためにこれらの信号を処理する。処理は、限定はしないが、増幅、フィルタ処理、ダウンコンバート、または他の好適なプロセスを含む。アナログ出力２１４は１次ＲＦＩＣによってさらに処理される。したがって、例示的な実施形態では、第１のモジュール３０２によって実行される処理は、１次ＲＦＩＣによって実行される処理に関連するサブプロセスを備える。別の例示的な実施形態では、第１のモジュール３０２は複数のアンテナに結合される。したがって、アンテナ２０８に加えて、１つまたは複数のアンテナが第１のモジュール３０２に結合される。第１のモジュール３０２は、１次ＲＦＩＣへのアナログ出力２１４を生成するためにそれに結合された複数のアンテナを処理する。
【００１９】
[0019]  したがって、２次ＲＦＩＣ２０４は、少なくとも２つのアンテナに／から流れる信号を処理し、通信回線２１４を使用して処理されたアナログ信号を１次ＲＦＩＣ２０２に与えるように構成される。この構成は、２次ＲＦＩＣ２０４へのアンテナトレースが短くなるように、２次ＲＦＩＣ２０４がデバイス内に配置されることを可能にする。その結果、トレース長が短くなると、トレース損失が低減される。
【００２０】
[0020]  図４に、アンテナトレース損失の低減を与える２次ＲＦＩＣ２０４を含むＲＦＩＣ構成の例示的な実施形態を備えるワイヤレスデバイス４００を示す。デバイス４００はアンテナ４０２、４０４、４０６、および４０８を備える。１次ＲＦＩＣ４１０は、アンテナ４０４および４０８から信号を受信するように構成される。２次ＲＦＩＣ２０４は、アンテナ４０２および４０６から信号を受信するように構成される。例示的な実施形態では、２次ＲＦＩＣ２０４は、第１の周波数帯域中でアンテナ４０２から受信された信号を処理するＬＮＡ３０２を備える第１のモジュール（Ｍ１）を含む。２次ＲＦＩＣ２０４はまた、第２の周波数帯域中でアンテナ４０６から受信された信号を処理する受信回路３０４を備える第２のモジュール（Ｍ２）を含む。たとえば、受信回路３０４は、アンテナ４０６によって受信されたＧＮＳＳ信号を処理するＧＮＳＳ受信回路であり得る。処理されたＧＮＳＳ信号は、次いで、デバイス４００におけるさらなる処理のためにＧＮＳＳプロセッサ４１２に渡される。別の例示的な実施形態では、ＧＮＳＳプロセッサ４１２は、ＧＮＳＳフロントエンドが２次ＲＦＩＣ２０４に配置されるように受信機３０４に配置される。したがって、２次ＲＦＩＣ２０４は、少なくとも２つのアンテナに関連するアナログ信号を処理するために様々な機能的構成を備えるように構成される。
【００２１】
[0021]  ２次ＲＦＩＣ２０４をデバイス４００中に含めることによって、１次ＲＦＩＣ４１０によって最初に与えられる様々な機能が２次ＲＦＩＣ２０４に分割され得、２次ＲＦＩＣ２０４は、信号トレース長を低減し、それによってトレース損失を低減するために、適切なアンテナのより近くに配置され得る。たとえば、２次ＲＦＩＣ２０４は、それがアンテナ４０２および４０６から受信するアナログアンテナ信号を処理し、少なくとも１つのアナログ出力信号２１４を生成するように構成される。たとえば、２次ＲＦＩＣ２０４は、アナログ出力信号２１４を生成するために２つ以上のアンテナからの受信されたアナログ信号を処理するために、増幅、ダウンコンバージョン、フィルタ処理および／または他の機能を行い得る。特定の実装形態では、アンテナ４０２はＧＮＳＳアンテナであり得、それの受信された信号はＬＮＡ３０２によって増幅され得る。ＬＮＡ３０２のアナログ出力はアナログ信号２１４中で１次ＲＦＩＣ４１０に送信される。１次ＲＦＩＣ４１０は、増幅されたアナログ信号を受信し、さらなる処理を実行する受信機４１２を備える。たとえば、受信機４１２は、位置／ロケーション機能を実行するために増幅されたＧＮＳＳ信号を処理するＧＮＳＳフロントエンドプロセッサであり得る。したがって、例示的な実施形態では、第１のモジュール３０２によって実行される処理は、１次ＲＦＩＣ４００の受信機４１２によって実行される処理に関連するサブプロセスを備える。
【００２２】
[0022]  アンテナ４０６は、ＷＷＡＮ  Ｒｘダイバーシティアンテナであり得、それの受信された信号は第２のモジュールＭ２に入力され得、第２のモジュールＭ２は、ＷＷＡＮ  Ｒｘダイバーシティ信号を受信およびダウンコンバートするように構成されたＷＷＡＮ  Ｒｘダイバーシティ受信機３０４を備え得る。２次ＲＦＩＣ２０４をアンテナ４０２および４０６のうちの少なくとも１つのより近くに配置することによって、アンテナ４０２、４０６の入力信号経路に関連するトレース損失は、図１に示された従来のデバイス構成と比較して低減される。
【００２３】
[0023]  別の例示的な実施形態では、アンテナ４０６は、ＷｉＦｉ信号を受信するように構成され得、受信機３０４は、受信されたＷｉＦｉ信号を処理するように構成される。したがって、２次ＲＦＩＣ２０４は、通信または情報技術に関連する信号を受信し、処理し得る。また、新規の構成は、任意の数の２次ＲＦＩＣが利用され得るように、１つの２次ＲＦＩＣのみを有することに限定されないことに留意されたい。
【００２４】
[0024]  したがって、新規のＲＦＩＣ構成は、少なくとも２つのアンテナからのアナログ信号を処理するように構成された少なくとも１つの２次ＲＦＩＣを備える。２次ＲＦＩＣは、トレース長を低減し、それによってトレース損失を低減するために、それのそれぞれのアンテナの近くに配置される。様々な例示的な実施形態では、新規のＲＦＩＣ構成によって以下の特徴のうちの１つまたは複数が与えられる。
【００２５】
１．  アンテナトレース損失が低減される。
【００２６】
２．  １次ＲＦＩＣと２次ＲＦＩＣとの間で機能が分割される。
【００２７】
３．  低減されたコストおよび回路基板面積。
【００２８】
４．  少なくとも２つのアンテナに関連するアナログ信号のための処理を行うように構成された２次ＲＦＩＣ。
【００２９】
５．  ２次ＲＦＩＣは、１次ＲＦＩＣのためのサブプロセスを実行する。
【００３０】
[0025]  図５に、アンテナトレース損失の低減のためのＲＦＩＣ構成を備える装置５００の例示的な実施形態を示す。一態様では、装置５００は、本明細書で説明する機能を与えるように構成された１つまたは複数のモジュールによって実装される。たとえば、一態様では、各モジュールは、ハードウェアおよび／またはソフトウェアを実行するハードウェアを備える。
【００３１】
[0026]  装置５００は、一態様では１次ＲＦＩＣ２０２を備える、第１のアンテナから第１の信号を受信するための手段（５０２）を備える第１のモジュールを備える。
【００３２】
[0027]  装置５００はまた、少なくとも２つの追加のアンテナからアナログ信号を受信するための手段（５０４）を備える第２のモジュールを備え、アナログ信号を受信するための手段は、一態様では２次ＲＦＩＣ２０４を備える、第１の信号を受信するための手段に入力されるアナログ出力を生成するために少なくとも１つの追加のアンテナから受信された選択されたアナログ信号を処理するように構成される。
【００３３】
[0028]  情報および信号は多種多様な技術および技法のいずれかを使用して表されるか、または処理され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。さらに、トランジスタタイプおよび技術は、同じ結果を達成するために交換、再構成または場合によっては変更され得ることに留意されたい。たとえば、ＰＭＯＳトランジスタを利用する図示された回路は、ＮＭＯＳトランジスタを使用するように変更され得、その逆も同様である。したがって、本明細書で開示する増幅器は、様々なトランジスタタイプおよび技術を使用して実現され得、図面に示されたそれらのトランジスタタイプおよび技術に限定されない。たとえば、ＢＪＴ、ＧａＡｓ、ＭＯＳＦＥＴまたは他のトランジスタ技術などのトランジスタタイプが使用され得る。
【００３４】
[0029]  さらに、本明細書で開示する実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本発明の例示的な態様の範囲からの逸脱を生じるものと解釈されるべきではない。
【００３５】
[0030]  本明細書で開示した実施形態に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００３６】
[0031]  本明細書で開示する実施形態に関して説明する方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ランダムアクセスメモリ（ＲＡＭ）、フラッシュメモリ、読取り専用メモリ（ＲＯＭ）、電気的プログラマブルＲＯＭ（ＥＰＲＯＭ）、電気的消去可能プログラマブルＲＯＭ（ＥＥＰＲＯＭ（登録商標））、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００３７】
[0032]  １つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、非一時的コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００３８】
[0033]  開示した例示的な実施形態の前述の説明は、当業者が本発明を実施または使用することができるように与えたものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書で示した例示的な実施形態に限定されるものではなく、本明細書で開示した原理および新規の特徴に一致する最も広い範囲を与えられるべきである。
以下に本願の出願当初の特許請求の範囲に記載された発明を付記する。
[Ｃ１]  １次無線周波数集積回路（ＲＦＩＣ）と、
少なくとも２つのアンテナからアナログ信号を受信するように構成された２次ＲＦＩＣと、前記２次ＲＦＩＣが、前記１次ＲＦＩＣに入力されるアナログ出力を生成するために、少なくとも１つのアンテナから受信され選択されるアナログ信号を処理するように構成された、を備える装置。
[Ｃ２]  前記１次ＲＦＩＣが、少なくとも１つの追加のアンテナから信号を受信するために結合された、Ｃ１に記載の装置。
[Ｃ３]  前記２次ＲＦＩＣが、それぞれ前記少なくとも２つのアンテナに結合された少なくとも２つのモジュールを備える、Ｃ１に記載の装置。
[Ｃ４]  少なくとも１つのモジュールが、前記アナログ出力を生成するために少なくとも１つのアナログ信号に対して選択された処理を行う、Ｃ３に記載の装置。
[Ｃ５]  前記選択された処理が、増幅することと、フィルタ処理することと、ダウンコンバートすることと、アップコンバートすることとのうちの少なくとも１つを備える、Ｃ４に記載の装置。
[Ｃ６]  前記選択された処理が、前記１次ＲＦＩＣによって実行される処理に関連するサブプロセスを備える、Ｃ４に記載の装置。
[Ｃ７]  各モジュールが、グローバルナビゲーション衛星システム（ＧＮＳＳ）信号と、ワイヤレスワイドエリアネットワーク（ＷＷＡＮ）通信信号と、Ｗｉ−Ｆｉ（登録商標）通信信号と、Ｂｌｕｅｔｏｏｔｈ（登録商標）通信信号とのうちの少なくとも１つを処理するように構成された、Ｃ３に記載の装置。
[Ｃ８]  前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、Ｃ３に記載の装置。
[Ｃ９]  前記少なくとも２つのアンテナが、同じまたは異なる周波数を有する信号を受信するように構成された、Ｃ１に記載の装置。
[Ｃ１０]  前記２次ＲＦＩＣが、前記少なくとも１つのアンテナに関連するトレース損失を低減するために前記装置内に配置された、Ｃ１に記載の装置。
[Ｃ１１]  第１のアンテナから第１の信号を受信するための手段と、
少なくとも２つのアンテナからアナログ信号を受信するための手段と、アナログ信号を受信するための前記手段が、前記第１の信号を受信するための前記手段に入力されるアナログ出力を生成するために、少なくとも１つのアンテナから受信され選択されたアナログ信号を処理するように構成された、を備える装置。
[Ｃ１２]  アナログ信号を受信するための前記手段が、それぞれ前記少なくとも２つのアンテナに結合された少なくとも２つのモジュールを備える、Ｃ１１に記載の装置。
[Ｃ１３]  少なくとも１つのモジュールが、前記アナログ出力を生成するために少なくとも１つのアナログ信号に対して選択された処理を行う、Ｃ１２に記載の装置。
[Ｃ１４]  前記選択された処理が、増幅することと、フィルタ処理することと、ダウンコンバートすることと、アップコンバートすることとのうちの少なくとも１つを備える、Ｃ１３に記載の装置。
[Ｃ１５]  前記選択された処理が、前記第１の信号を受信するための前記手段によって実行される処理に関連するサブプロセスを備える、Ｃ１３に記載の装置。
[Ｃ１６]  各モジュールが、グローバルナビゲーション衛星システム（ＧＮＳＳ）信号と、ワイヤレスワイドエリアネットワーク（ＷＷＡＮ）通信信号と、Ｗｉ−Ｆｉ通信信号と、Ｂｌｕｅｔｏｏｔｈ通信信号とのうちの少なくとも１つを処理するように構成された、Ｃ１２に記載の装置。
[Ｃ１７]  前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、Ｃ１１に記載の装置。
[Ｃ１８]  前記少なくとも２つのアンテナが、同じまたは異なる周波数を有する信号を受信するように構成された、Ｃ１１に記載の装置。
[Ｃ１９]  アナログ信号を受信するための前記手段が、前記アンテナの前記少なくとも１つに関連するトレース損失を低減するために前記装置内に配置された、Ｃ１１に記載の装置。
【図１】
0006419714.tif 000002
【図２】
0006419714.tif 000003
【図３】
0006419714.tif 000004
【図４】
0006419714.tif 000005
【図５】
0006419714.tif 000006